【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
縦軸（Ａ）を有する回転切削工具（２０）であって、この縦軸の周りで、前記回転切削工具（２０）は回転方向（Ｒ）に回転可能であり、前記回転切削工具（２０）は：
切削部分（２２）を形成する前方部分、およびシャンク部分（２４）を形成する後方部分
を含み、
前記切削部分（２２）は：
複数の縦溝（２６）が凹まされて形成されている周囲面（３４）を含み、前記複数の縦溝（２６）は、前記縦軸（Ａ）に沿ってらせん状に延在し、および複数の切歯（２８）を形成し、各切歯（２８）は、２つの隣接する縦溝（２６）間に形成され、かつ：
回転方向の先頭となる前縁における切れ刃（３０）；および
切り屑分離構成（３８）
を含み、この切り屑分離構成は：
第１および第２の溝（４２、４４）を含む正確に２つの溝（４０）であって、前記第１の溝（４２）は、前記第２の溝（４４）の軸方向前方にあり、前記２つの溝（４０）は、前記切れ刃（３０）を分断し、かつ、前記縦軸（Ａ）に対して垂直に向けられた関連の平面（Ｐ）の両側の前記周囲面（３４）において、切れ刃から互いに対して間隔が広がる、２つの溝
を含む、回転切削工具。
【請求項２】
前記２つの溝（４０）が、前記切れ刃（３０）において溝離隔距離（ＤＧ）だけ離間している、請求項１に記載の回転切削工具（２０）。
【請求項３】
前記２つの溝（４０）が、前記切れ刃（３０）の２つの分断部分（５８）を形成し、それらの間に前記切れ刃（３０）の非分断部分（６０）が延在し、前記非分断部分（６０）は副切れ刃（５４）を形成する、請求項２に記載の回転切削工具（２０）。
【請求項４】
前記切れ刃（３０）に隣接するすくい面（３２）に対して垂直に取った前記切り屑分離構成（３８）を見ると：
前記切れ刃（３０）にある前記切り屑分離構成（３８）は切り屑分離構成の幅（Ｗ）を有し；および
前記溝離隔距離ＤＧは、Ｗ／１２≦ＤＧ≦Ｗ／８の範囲にある、請求項２または３に記載の回転切削工具（２０）。
【請求項５】
前記溝離隔距離（ＤＧ）が、０．１ｍｍを上回りかつ１．０ｍｍ未満である、請求項２〜４のいずれか１項に記載の回転切削工具（２０）。
【請求項６】
前記切れ刃（３０）に隣接する前記すくい面（３２）に対して垂直に取った前記切り屑分離構成（３８）を見ると、前記切れ刃（３０）は、切り屑分離構成の輪郭（ＰＲ）を形成し；および
前記切り屑分離構成の輪郭（ＰＲ）は、鏡映面（Ｍ）の周りで実質的に鏡面対称であり、前記鏡映面（Ｍ）は、前記切り屑分離構成（３８）において前記切れ刃（３０）に関連付けられる仮想上の切れ刃のらせん（ＨＣＥ）に対する接線（Ｔ）に対して垂直である、請求項１〜５のいずれか１項に記載の回転切削工具（２０）。
【請求項７】
前記第１の溝（４２）が、第１の軸方向前方の側壁（４６）および第１の軸方向後方の側壁（４８）を含み；および
前記切れ刃（３０）に隣接する前記すくい面（３２）に対して垂直に取った前記切り屑分離構成（３８）を見ると、前記切れ刃（３０）において、前記第１の軸方向前方の側壁（４６）はわずかに凸状の部分を有し、および前記第１の軸方向後方の側壁（４８）は凹状の部分に有する、請求項１〜６のいずれか１項に記載の回転切削工具（２０）。
【請求項８】
前記切れ刃（３０）に隣接する前記すくい面（３２）に対して垂直に取った前記切り屑分離構成（３８）を見ると；
前記切れ刃（３０）にある前記第１の軸方向前方の側壁（４６）が、第１の軸方向前方の側壁の幅（Ｗ１）を有し；
前記切れ刃（３０）にある前記第１の軸方向後方の側壁（４８）が、第１の軸方向後方の側壁の幅（Ｗ２）を有し；および
前記第１の軸方向前方の側壁の幅（Ｗ１）は、前記第１の軸方向後方の側壁の幅（Ｗ２）よりも広い、請求項７に記載の回転切削工具（２０）。
【請求項９】
前記第２の溝（４４）が、第２の軸方向前方の側壁（５０）および第２の軸方向後方の側壁（５２）を含み；および
前記切れ刃（３０）に隣接する前記すくい面（３２）に対して垂直に取った前記切り屑分離構成（３８）を見ると、前記切れ刃（３０）において、前記第２の軸方向前方の側壁（５０）は凹状の部分を有し、および前記第２の軸方向後方の側壁（５２）はわずかに凸状の部分を有する、請求項１〜８のいずれか１項に記載の回転切削工具（２０）。
【請求項１０】
前記切れ刃（３０）に隣接する前記すくい面（３２）に対して垂直に取った前記切り屑分離構成（３８）を見ると；
前記切れ刃（３０）における前記第２の軸方向前方の側壁（５０）が、第２の軸方向前方の側壁の幅（Ｗ３）を有し；
前記切れ刃（３０）における前記第２の軸方向後方の側壁（５２）が、第２の軸方向後方の側壁の幅（Ｗ４）を有し；および
前記第２の軸方向前方の側壁の幅（Ｗ３）は、前記第２の軸方向後方の側壁の幅（Ｗ４）よりも細い、請求項９に記載の回転切削工具（２０）。
【請求項１１】
全ての前記切歯（２８）上にある前記第１の溝（４２）が全て、第１の溝のらせん（Ｈ１）と、前記縦軸（Ａ）の周りで、らせん状に整列される、請求項１〜１０のいずれか１項に記載の回転切削工具（２０）。
【請求項１２】
前記複数の縦溝（２６）が右巻きのらせん状縦溝であり、および前記第１の溝のらせん（Ｈ１）が左巻きのらせんであるか、または前記複数の縦溝（２６）が左巻きのらせん状縦溝であり、および前記第１の溝のらせん（Ｈ１）が右巻きのらせんであるかであり；
前記第１の溝のらせん（Ｈ１）が第１の溝のらせん角度αを有し；および
前記第１の溝のらせん角度αは、４９°≦α≦５１°の範囲にある、請求項１１に記載の回転切削工具（２０）。
【請求項１３】
前記第１の溝のらせん角度αが４９．８３°に等しい、請求項１２に記載の回転切削工具（２０）。
【請求項１４】
前記第１の溝（４２）が、前記切れ刃（３０）から離れる方向に向かって細くなる、可変の第１の溝の幅（ＷＧ１）を有する、請求項１〜１３のいずれか１項に記載の回転切削工具（２０）。
【請求項１５】
前記第１の溝（４２）が、前記切れ刃（３０）から離れる方向に向かって浅くなる、可変の第１の溝の深さを有する、請求項１〜１４のいずれか１項に記載の回転切削工具（２０）。
【請求項１６】
全ての前記切歯（２８）上にある前記第２の溝（４４）が全て、第２の溝のらせん（Ｈ２）と、前記縦軸（Ａ）の周りで、らせん状に整列される、請求項１〜１５のいずれか１項に記載の回転切削工具（２０）。
【請求項１７】
前記複数の縦溝（２６）が右巻きのらせん状縦溝であり、および前記第２の溝のらせん（Ｈ２）が右巻きのらせんであるか、または前記複数の縦溝（２６）が左巻きのらせん状縦溝であり、および前記第２の溝のらせん（Ｈ２）が左巻きのらせんであるかであり；
前記第２の溝のらせん（Ｈ２）が第２の溝のらせん角度βを有し、および
前記第２の溝のらせん角度βは６９°≦β≦７１°の範囲にある、請求項１６に記載の回転切削工具（２０）。
【請求項１８】
第２の溝のらせん角度βが７０°に等しい、請求項１７に記載の回転切削工具（２０）。
【請求項１９】
前記第２の溝（４４）が、前記切れ刃（３０）から離れる方向に向かって細くなる、可変の第２の溝の幅（ＷＧ２）を有する、請求項１〜１８のいずれか１項に記載の回転切削工具（２０）。
【請求項２０】
前記第２の溝（４４）が、前記切れ刃（３０）から離れる方向に向かって浅くなる、可変の第２の溝の深さを有する、請求項１〜１９のいずれか１項に記載の回転切削工具（２０）。